(57)【要約】      （修正有）【課題】意匠性を維持することが可能となる、火災検出装置を提供する。【解決手段】火災検出装置１は、外カバー２０の内部に熱感知部１１０の一部が収容され、且つ天面部２２に形成された挿通孔１２０を介して熱感知部１１０の他の一部が火災検出装置１の外部に露出するように設けられた熱感知部１１０と、天面部２２において熱感知部１１０の他の一部及び挿通孔１２０の周囲を覆うように設けられた、複数のリブを有するガード部１３０と、を備える。複数のリブのうち第１ガード側リブ１３１のリブの材質を他の一部のリブの材質と異ならせ、且つ、複数のリブのうち第１ガード側リブ１３１の形状を他の一部のリブの形状と異ならせた。【選択図】図３
2019175143.tif 000002
【特許請求の範囲】
【請求項１】
設置対象物の設置面に取り付けられる火災検出装置であり、監視領域の火災を検出するための火災検出装置であって、
筐体と、
前記火災を検出するための熱感知手段であって、前記筐体の内部に当該熱感知手段の一部が収容され、且つ前記筐体の側部のうち前記設置面側の側部とは反対側の側部である反対側側部に形成された挿通孔を介して当該熱感知手段の他の一部が当該火災検出装置の外部に露出するように設けられた熱感知手段と、
前記反対側側部において前記熱感知手段の他の一部及び前記挿通孔の周囲を覆うように設けられたガード手段であって、複数のリブを有するガード手段と、を備え、
前記複数のリブのうち一部のリブの材質を他の一部のリブの材質と異ならせ、又は前記複数のリブのうち一部のリブの形状を他の一部のリブの形状と異ならせた、
火災検出装置。
【請求項２】
前記筐体の内部に設けられた表示手段であって、前記挿通孔を介して当該火災検出装置の外部に向けて光を照射することにより所定情報を表示する表示手段を備え、
前記一部のリブのみを透光性材料にて形成し、
前記表示手段から照射された光が前記透光性材料にて形成されたリブを介して当該火災検出装置の外部に導かれるように、前記複数のリブを構成した、
請求項１に記載の火災検出装置。
【請求項３】
前記ガード手段に流入する気流の流入量又は流入方向に基づいて、前記複数のリブの厚さを設定した、
請求項１又は２に記載の火災検出装置。
【請求項４】
前記透光性材料にて形成されたリブは、前記複数のリブのうち最も厚みが薄いリブよりも厚みがあるリブである、
請求項１から３のいずれか一項に記載の火災検出装置。
【請求項５】
前記挿通孔を、前記反対側側部の部分のうち中央部以外の部分に設けた、
請求項１から４のいずれか一項に記載の火災検出装置。
【請求項６】
前記複数のリブのうち前記反対側側部の中央部側のリブは、前記複数のリブのうち最も厚みがあるリブよりも厚みが薄いリブであり、又は最も幅が広いリブよりも幅が狭いリブである、
請求項５に記載の火災検出装置。
【発明の詳細な説明】
【技術分野】
【０００１】
本発明は、火災検出装置に関する。
【背景技術】
【０００２】
従来、監視領域の火災を検出する熱感知器を対象として、温度検出素子を保護するための技術が提案されている。この技術においては、温度検出素子と、温度検出素子を収容するための感知器本体と、感知器本体の下面に設けられた挿通孔であって、温度検出素子の一部のみを感知器本体の外部に露出するための挿通孔と、感知器本体の下面に設けられ、且つ同一の形状で形成された複数のリブを有するプロテクタであって、上記外部に露出した温度検出素子を覆うためのプロテクタとを備えた熱感知器が構成されている。また、感知器本体の下面のうちプロテクタに対応する部分以外の部分には、感知器本体の内部に収容された表示灯を外部から視認させるための表示孔が設けられている（例えば、特許文献１参照）。
【先行技術文献】
【特許文献】
【０００３】
【特許文献１】特開２０１２−１９８７５７号公報
【発明の概要】
【発明が解決しようとする課題】
【０００４】
しかしながら、上記従来の技術においては、感知器本体の下面において、プロテクタ及び表示孔が外部に露出するように設けられているので、これらプロテクタ及び表示孔の両方が外部から目立ちやすいことから、熱感知器の意匠性を低下させるおそれがあった。また、プロテクタの複数のリブの形状がそれぞれ同一であるので、例えば、熱感知器の設置状況に応じて、各方向からプロテクタに流入する気流の流入量を均一にすることが難しくなることから、気流の流入性を向上させることが難しくなる可能性があった。したがって、意匠性又は気流の流入性の観点からは、改善の余地があった。
【０００５】
本発明は上記問題に鑑みてなされたもので、意匠性又は気流の流入性を向上させることが可能となる、火災検出装置を提供することを目的とする。
【課題を解決するための手段】
【０００６】
上述した課題を解決し、目的を達成するために、請求項１に記載の火災検出装置は、設置対象物の設置面に取り付けられる火災検出装置であり、監視領域の火災を検出するための火災検出装置であって、筐体と、前記火災を検出するための熱感知手段であって、前記筐体の内部に当該熱感知手段の一部が収容され、且つ前記筐体の側部のうち前記設置面側の側部とは反対側の側部である反対側側部に形成された挿通孔を介して当該熱感知手段の他の一部が当該火災検出装置の外部に露出するように設けられた熱感知手段と、前記反対側側部において前記熱感知手段の他の一部及び前記挿通孔の周囲を覆うように設けられたガード手段であって、複数のリブを有するガード手段と、を備え、前記複数のリブのうち一部のリブの材質を他の一部のリブの材質と異ならせ、又は前記複数のリブのうち一部のリブの形状を他の一部のリブの形状と異ならせた。
【０００７】
請求項２に記載の火災検出装置は、請求項１に記載の火災検出装置において、前記筐体の内部に設けられた表示手段であって、前記挿通孔を介して当該火災検出装置の外部に向けて光を照射することにより所定情報を表示する表示手段を備え、前記一部のリブのみを透光性材料にて形成し、前記表示手段から照射された光が前記透光性材料にて形成されたリブを介して当該火災検出装置の外部に導かれるように、前記複数のリブを構成した。
【０００８】
請求項３に記載の火災検出装置は、請求項１又は２に記載の火災検出装置において、前記ガード手段に流入する気流の流入量又は流入方向に基づいて、前記複数のリブの厚さを設定した。
【０００９】
請求項４に記載の火災検出装置は、請求項１から３のいずれか一項に記載の火災検出装置において、前記透光性材料にて形成されたリブは、前記複数のリブのうち最も厚みが薄いリブよりも厚みがあるリブである。
【００１０】
請求項５に記載の火災検出装置は、請求項１から４のいずれか一項に記載の火災検出装置において、前記挿通孔を、前記反対側側部の部分のうち中央部以外の部分に設けた。
【００１１】
請求項６に記載の火災検出装置は、請求項５に記載の火災検出装置において、前記複数のリブのうち前記反対側側部の中央部側のリブは、前記複数のリブのうち最も厚みがあるリブよりも厚みが薄いリブであり、又は最も幅が広いリブよりも幅が狭いリブである。
【発明の効果】
【００１２】
請求項１に記載の火災検出装置によれば、複数のリブのうち一部のリブの材質を他の一部のリブの材質と異ならせるので、例えば、一部のリブのみを透光性材料にて形成することで、当該一部のリブ及び挿通孔を介して筐体の内部に収容された表示手段から照査された光を当該火災検出装置の外部に導くことが可能になる。よって、上記表示手段から照査される光を外部に導くための表示孔を筐体に設ける必要性がないことから、従来技術（プロテクタ及び表示孔を外部に露出するように設けた技術）に比べて、火災検出装置の意匠性を維持することが可能となる。また、複数のリブのうち一部のリブの形状を他の一部のリブの形状と異ならせるので、複数のリブを同一形状にする場合に比べて、火災検出装置の設置状況に応じて、各方向からガード手段に流入する気流の流入量の均一化が図りやすくなる。よって、火災検出装置の気流の流入性を向上させることが可能となる。
【００１３】
請求項２に記載の火災検出装置によれば、一部のリブのみを透光性材料にて形成し、表示手段から照射された光が透光性材料にて形成されたリブを介して当該火災検出装置の外部に導かれるように、複数のリブを構成したので、ガード手段の強度を確保しながら、ガード手段の一部のリブをライトガイドとして機能させることができ、表示手段から照射された光を様々な方向において視認しやすくすることが可能となる。
【００１４】
請求項３に記載の火災検出装置によれば、ガード手段に流入する気流の流入量又は流入方向に基づいて、複数のリブの厚さを設定したので、ガード手段に流入する気流の流入量又は流入方向に応じた複数のリブの厚さを設定でき、ガード手段の耐久性を維持しながら、ガード手段への気流の流入性を確保することができる。
【００１５】
請求項４に記載の火災検出装置によれば、透光性材料にて形成されたリブが、複数のリブのうち最も厚みが薄いリブよりも厚みがあるリブであるので、透光性材料にて形成されたリブのリブの破損等を抑制しながら、表示手段から照射された光を火災検出装置の外部へ導きやすくなることから、透光性材料にて形成されたリブの耐久性を向上させながら、火災検出装置の表示機能を一層維持することが可能となる。
【００１６】
請求項５に記載の火災検出装置によれば、挿通孔を、反対側側部の部分のうち中央部以外の部分に設けたので、挿通孔を反対側側部の中央部に形成する場合に比べて、熱感知手段及び表示手段の取付上の制約を受けにくいことから、熱感知手段及び表示手段の取付性を維持できる。
【００１７】
請求項６に記載の火災検出装置によれば、複数のリブのうち反対側側部の中央部側のリブが、複数のリブのうち最も厚みがあるリブよりも厚みが薄いリブであり、又は最も幅が広いリブよりも幅が狭いリブであるので、挿通孔を反対側側部の部分のうち中央部以外の部分に設けた場合に、ガード手段において各方向から流入する気流の流入量の均一化が一層図りやすくなるため、ガード手段への気流の流入性を向上できる。
【図面の簡単な説明】
【００１８】
【図１】実施の形態に係る火災検出装置の取付状況を示す側面図である。
【図２】図１の火災検出装置の領域の拡大図である。
【図３】取付ベースを取り外した状態の火災検出装置を示す底面図である。
【図４】図３のＡ−Ａ矢視断面図である。
【発明を実施するための形態】
【００１９】
以下に、本発明に係る火災検出装置の実施の形態を図面に基づいて詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２０】
〔Ｉ〕実施の形態の基本的概念
まず、実施の形態の基本的概念について説明する。実施の形態は、概略的に、設置対象物の設置面に取り付けられる火災検出装置であり、監視領域の火災を検出するための火災検出装置に関するものである。
【００２１】
ここで、「火災検出装置」は、実施の形態では、監視領域を熱学的に火災を検出して報知する装置であり、例えば、熱学的な火災感知器や火災警報器、あるいは、熱学的且つ光学的な火災感知器や火災警報器等を含む概念である。また、「設置対象物」とは、火災検出装置が設置される対象物であり、例えば、建物の天井部や壁部等を含む概念です。また、「建物」とは、その具体的な構造や種類は任意であるが、例えば、戸建て住宅、アパートやマンションの如き集合住宅、オフィスビル、イベント施設、商業施設、及び公共施設等を含む概念である。また、「監視領域」とは、監視の対象となる領域であって、例えば、建物の内部の領域、建物の外部の領域等を含む概念である。また、「報知する」とは、例えば、所定情報を外部装置に向けて出力すること、所定情報を出力手段（表示手段又は音声出力手段）を介して表示又は音声出力すること等を含む概念である。以下、実施の形態では、「火災検出装置」が、「熱学的且つ光学的な火災感知器」であり、「設置対象物」が「オフィスビルの天井部」であり、「監視領域」が「オフィスビルの内部の領域」である場合について説明する。
【００２２】
〔ＩＩ〕実施の形態の具体的内容
次に、実施の形態の具体的内容について説明する。
【００２３】
（構成）
まず、実施の形態に係る火災検出装置の構成について説明する。図１は、実施の形態に係る火災検出装置の取付状況を示す側面図である。図２は、図１の火災検出装置の領域の拡大図である。図３は、後述の取付ベースを取り外した状態の火災検出装置を示す底面図である。図４は、図３のＡ−Ａ矢視断面図である。以下の説明では、図１のＸ方向を火災検出装置の左右方向（＋Ｘ方向を火災検出装置の左方向、−Ｘ方向を火災検出装置の右方向）、図３のＹ方向を火災検出装置の前後方向（＋Ｙ方向を火災検出装置の前方向、−Ｙ方向を火災検出装置の後方向）、図１のＺ方向を火災検出装置の上下方向（＋Ｚ方向を火災検出装置の上方向、−Ｚ方向を火災検出装置の下方向）と称する。また、図３の検出空間の中心位置を基準として、検出空間から離れる方向を「外側」と称し、検出空間に近づく方向を「内側」と称する。
【００２４】
火災検出装置１は、監視領域の熱を検出すると共に、気体に含まれている被検出物質（例えば、煙等）を検出して報知する装置である。この火災検出装置１は、建物の屋内において建物の天井部（設置対象物）の下面にある設置面２に設置されており、図１から図４に示すように、取付ベース１０、外カバー２０、内カバー３０、流入空間４０、防虫網５０、検出空間６０、検出部カバー７０、検出部本体８０、端子盤９０、及び基板１００を備えている。
【００２５】
（構成−取付ベース）
図１に戻り、取付ベース１０は、設置面２に対して外カバー２０を取り付けるための取付手段である。この取付ベース１０は、例えば公知の火災検出装置用の取付ベース（一例として、樹脂製である略板状の取付ベース）等を用いて構成されており、図２、図３に示すように、設置面２に対して固定具等によって固定されている。
【００２６】
（構成−外カバー）
図２に戻り、外カバー２０は、内カバー３０、流入空間４０、防虫網５０、検出空間６０、検出部カバー７０、検出部本体８０、端子盤９０、及び基板１００を覆うカバーである。この外カバー２０は、例えば遮光性を有する樹脂材にて形成されており、図２から図４に示すように、外カバー本体２１、天面部２２、第１リブ部２３、及び第２リブ部２４を備えている。
【００２７】
このうち、外カバー本体２１は、外カバー２０の基本構造体である。この外カバー本体２１は、例えば上面及び下面が開放された略中空円柱状体にて形成されており、図２に示すように、外カバー本体２１の上端部が取付ベース１０の下面と当接するように配置され、取付ベース１０に対して嵌合構造（又は固定具）等によって固定されている。
【００２８】
また、天面部２２は、流入空間４０を区画するための区画手段である。この天面部２２は、例えば略円形状の板状体にて形成されており、図２から図４に示すように、外カバー本体２１よりも下方において略水平に設けられている。
【００２９】
また、第１リブ部２３は、流入空間４０を区画するための区画手段である。この第１リブ部２３は、略板状体にて形成され、外カバー本体２１と天面部２２との相互間において垂直に設けられており、具体的には、図２、図４に示すように、外カバー２０の中央付近から放射状に複数設けられ、外カバー本体２１及び天面部２２に対して接続されている。
【００３０】
また、第２リブ部２４は、流入空間４０を区画するための区画手段である。この第２リブ部２４は、略板状体にて形成され、外カバー本体２１と天面部２２との相互間において垂直に設けられており、具体的には、図２、図４に示すように、隣接する第１リブ部２３の内側端部同士の相互間に設けられ、外カバー本体２１及び天面部２２に対して接続されている。なお、外カバー２０の構成の詳細については、後述する。また、上述した「外カバー２０」は、特許請求の範囲における「筐体」に対応する。
【００３１】
（構成−流入空間）
図２に戻り、流入空間４０は、火災検出装置１の外部の気体が火災検出装置１の内部に流入させるための空間である。この流入空間４０は、外カバー２０の内部において複数形成されて、具体的には、図２、図４に示すように、外カバー２０の内部空間のうち、天面部２２、第１リブ部２３、第２リブ部２４、及び内カバー３０によって囲繞された空間が流入空間４０として形成されている。
【００３２】
（構成−内カバー）
内カバー３０は、検出空間６０、検出部カバー７０、検出部本体８０、及び基板１００を覆うカバーであると共に、流入空間４０を区画するための区画手段である。この内カバー３０は、例えば、上面が開放された略中空円柱状体であり、遮光性を有する樹脂材にて形成されており、図４に示すように、外カバー２０の内部において、内カバー３０の下面が流入空間４０を介して外カバー２０の天面部２２と対向するように設けられている。また、図４に示すように、内カバー３０の下面には、第１開口部３０ａが形成されている。第１開口部３０ａは、流入空間４０に流入された気体を検出空間６０に送るための開口部であり、図４に示すように、内カバー３０の下面のうち略中央部及びその近傍部分に設けられている。
【００３３】
（構成−検出空間）
検出空間６０は、被検出物質を検出するための空間であり、図４に示すように、内カバー３０の内部空間のうち、検出部カバー７０及び検出部本体８０によって囲繞される空間が検出空間６０として形成されている。
【００３４】
（構成−検出部カバー）
検出部カバー７０は、検出空間６０を区画するための区画手段であると共に、検出空間６０に外乱光が入射することを抑制するための入射抑制手段である。この検出部カバー７０は、上面が開放された略中空円柱状体であり、遮光性を有する樹脂材にて形成されている。また、この検出部カバー７０は、図４に示すように、内カバー３０の内部において、検出部カバー７０の下面が第１開口部３０ａ及び流入空間４０を介して外カバー２０の天面部２２と対向するように配置され、検出部本体８０に対して嵌合構造等によって固定されている。また、図４に示すように、検出部カバー７０の下面には、第２開口部７０ａが形成されている。第２開口部７０ａは、第１開口部３０ａから送られた気体を検出空間６０に流入するための開口部であり、図４に示すように、検出部カバー７０の下面のうち第１開口部３０ａと対応する部分に設けられている。
【００３５】
（構成−防虫網）
防虫網５０は、火災検出装置１の外部にいる虫が検出空間６０に侵入するのを防止するための網である。この防虫網５０は、メッシュ状且つ円形状の網を用いて構成されており、図４に示すように検出部カバー７０に取り付けられている。
【００３６】
（構成−検出部本体）
検出部本体８０は、検出部カバー７０を取り付けるための取付手段であり、検出空間６０に外乱光が入射することを抑制するための入射抑制手段である。この検出部本体８０は、例えば遮光性を有する樹脂材にて形成されており、図４に示すように、検出部カバー７０の上面を覆うように配置されており、基板１００に対して固定具等によって固定されている。また、この検出部本体８０には、後述する第１発光部、後述する第２発光部、及び後述する受光部の各々を支持するための支持部（図示省略）がそれぞれ設けられている。さらに、この検出部本体８０には、後述する第１発光部、後述する第２発光部、及び後述する受光部の各々と検出空間６０との間の光路を形成するための光路孔（図示省略）がそれぞれ形成されている。
【００３７】
（構成−端子盤）
端子盤９０は、内カバー３０、検出部カバー７０、検出部本体８０、及び基板１００を収容するための収容手段である。この端子盤９０は、下面が開放された略中空円柱状であり、例えば遮光性を有する樹脂材にて形成されている。また、この端子盤９０は、図４に示すように、内カバー３０、検出部カバー７０、検出部本体８０、及び基板１００を上方から覆うように設けられ、外カバー２０に対して嵌合構造等によって固定されていると共に、且つ取付ベース１０に対して取付部材９１に形成された第１取付孔（図示省略）を介して固定具等によって固定されている。
【００３８】
（構成−基板）
基板１００は、各種の電気回路（図示省略）が実装される実装手段である。この基板１００は、例えば公知の平板状の回路基板等を用いて構成されており、図４に示すように、端子盤９０の内部において、端子盤９０の上端部及び下端部と間隔を隔てて略水平に配置され、端子盤９０に対して端子盤９０に形成された取付孔（図示省略）及び取付部材９１に形成された第２取付孔（図示省略）を介して固定具によって固定されている。
【００３９】
また、基板１００には、従来の火災検出装置１に用いられる公知の電子部品が実装されていることに加えて、図４に示すように、第１発光部（図示省略）、第２発光部（図示省略）、受光部（図示省略）、熱感知部１１０、表示部（図示省略）、通信部（図示省略）、電源部（図示省略）、制御部（図示省略）、及び記憶部（図示省略）が実装されている。
【００４０】
（構成−基板−第１発光部、第２発光部、受光部）
このうち、第１発光部は、検出空間６０に検出光（以下、「第１検出光」と称する）を照射する第１発光手段であり、例えば公知の発光素子（一例として赤外ＬＥＤ等）を用いて構成されている。また、第２発光部は、第１検出光とは波長が異なる検出光（以下、「第２検出光」と称する）を検出空間６０に照射する第２発光手段であり、例えば公知の発光素子（一例として青色ＬＥＤ等）を用いて構成されている。また、受光部は、第１発光部から照射された第１検出光の煙による散乱光を受光し、当該受光した散乱光に応じた第１受光信号を出力すると共に、第２発光部から照射された第２検出光の煙に対する散乱光を受光し、当該受光した散乱光に応じた第２受光信号を出力する受光手段であり、例えば公知の受光素子（一例としてフォトダイオード等）を用いて構成されている。また、第１発光部、第２発光部、及び受光部の設置方法については任意であるが、実施の形態では、第１発光部又は第２発光部から照射された第１検出光又は第２検出光が検出部本体８０の各種の光路孔を介して直接的に受光部されることを回避できるように設置している。例えば、第１発光部の光軸（以下、「第１発光側光軸」と称する）と受光部の光軸（以下、「受光側光軸」と称する）との角度が１３５°程度となる位置に、第１発光部及び受光部を設置する。また、第２発光部の光軸（以下、「第２発光側光軸」と称する）と受光側光軸との角度が９０°程度となる位置に、第２発光部及び受光部を設置している。
【００４１】
（構成−基板−熱感知部、表示部、通信部、電源部）
図２に戻り、また、熱感知部１１０は、火災を検出するための熱感知手段である。この熱感知部１１０は、例えば公知の熱感知素子（一例として、サーミスタ等）を用いて構成されており、図２から図４に示すように、内カバー３０、検出部カバー７０、及び検出部本体８０の各々に設けられた挿通孔（図示省略）及び後述する外カバー２０の挿通孔１２０を介して熱感知部１１０の一部が火災検出装置１の外部に露出するように配置されている。また、表示部は、火災検出装置１の外部に向けて光（以下、「表示光」と称する）を照射することにより所定情報（例えば、火災の検出の有無を示す情報）を表示するための表示手段であり、例えば公知の表示手段（ＬＥＤ等）を用いて構成されている。また、この表示部の投光方法については任意であるが、例えば、内カバー３０、検出部カバー７０、及び検出部本体８０の各々に設けられた挿通孔（図示省略）及び後述する外カバー２０の挿通孔１２０に挿通されたライトガイド１０４ａを介して表示部からの表示光を火災検出装置１の外部に向けて誘導することにより投光すること等が該当する。また、通信部は、外部装置（例えば、受信機等）との間で通信する通信手段である。また、電源部は、商用電源又は電池（図示省略）から供給された電力を、火災検出装置１の各部に供給する電源手段である。
【００４２】
（構成−基板−制御部、記憶部）
また、制御部は、火災検出装置１を制御する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである。また、記憶部は、火災検出装置１の動作に必要なプログラム及び各種のデータを記憶する記憶手段である。この記憶部は、書き換え可能な記録媒体を用いて構成され、例えばフラッシュメモリ等の不揮発性記録媒体を用いることができる。
【００４３】
（構成−外カバーの構成の詳細）
図２に戻り、次に、外カバー２０の構成の詳細について説明する。ただし、この外カバー２０は、特記する場合を除いて、任意の形状、方法、及び材質で製造することができる。
【００４４】
実施の形態では、図２から図４に示すように、外カバー２０の側部のうち設置面２側の側部とは反対側の側部（反対側側部）である天面部２２には、挿通孔１２０及びガード部１３０が設けられている。
【００４５】
（構成−外カバーの構成の詳細−挿通孔）
図３に戻り、挿通孔１２０は、熱感知部１１０の一部を火災検出装置１の外部に露出させると共に、表示部からの表示光を火災検出装置１の外部に照射するための貫通孔である。
【００４６】
ここで、挿通孔１２０の具体的な形状及び大きさについては任意であるが、実施の形態では、挿通孔１２０の平面形状については、図３に示すように、略楕円形状に設定している（あるいは、四角形状等の多角形状であってよい）。また、挿通孔１２０の径については、熱感知部１１０の一部のみを外部に露出させることができ、且つ表示光を火災検出装置１の外部に照射することが可能な大きさに設定しており、例えば、熱感知部１１０の径とライトガイド１０４ａの径とを加算した長さよりも長く設定している。
【００４７】
また、挿通孔１２０の形成方法については任意であるが、天面部２２の中央部以外の部分に形成しており、具体的には、図３に示すように、天面部２２における右側部分に形成している。この場合には、例えば、熱感知部１１０及び表示部は、基板１００の部分のうち挿通孔１２０と対応する部分又はその近傍に設置されてもよい。このような形成方法により、挿通孔１２０を天面部２２の中央部に形成する場合に比べて、熱感知部１１０及び表示部の取付上の制約を受けにくいことから、熱感知部１１０及び表示部の取付性を維持できる。
【００４８】
このような挿通孔１２０により、外カバー２０の内部に熱感知部１１０の一部を収容し、且つ挿通孔１２０を介して熱感知部１１０の他の一部が火災検出装置１の外部に露出させることができると共に、表示部からの表示光を挿通孔１２０を介して火災検出装置１の外部に向けて照射することができる。
【００４９】
（構成−外カバーの構成の詳細−ガード部）
図２に戻り、ガード部１３０は、熱感知手段を保護するためのガード手段であり、図２から図４に示すように、第１ガード側リブ１３１、第２ガード側リブ１３２、第３ガード側リブ１３３、第４ガード側リブ１３４、及びガード側連結部１３５を備えている。
【００５０】
（構成−外カバーの構成の詳細−ガード部−第１ガード側リブから第４ガード側リブ）
図２に戻り、第１ガード側リブ１３１、第２ガード側リブ１３２、第３ガード側リブ１３３、及び第４ガード側リブ１３４は、ガード部１３０の基本構造体である。これら第１ガード側リブ１３１、第２ガード側リブ１３２、第３ガード側リブ１３３、及び第４ガード側リブ１３４は、長尺な板状体にて形成されており、図２から図４に示すように、熱感知部１１０における火災検出装置１の外部に露出する部分及び挿通孔１２０の周囲を覆うように設けられている。具体的には、第１ガード側リブ１３１、第２ガード側リブ１３２、第３ガード側リブ１３３、及び第４ガード側リブ１３４の各々の長手方向が上下方向に略沿うように設けられている（図３では、若干傾斜して設けられている）と共に、天面部２２の下面に対して立設されている。
【００５１】
（構成−外カバーの構成の詳細−ガード部−ガード側連結部）
図２に戻り、ガード側連結部１３５は、第１ガード側リブ１３１、第２ガード側リブ１３２、第３ガード側リブ１３３、及び第４ガード側リブ１３４を連結するための連結手段である。このガード側連結部１３５は、例えば、外カバー２０と同一の材料にて形成されており、図２から図４に示すように、第１ガード側リブ１３１、第２ガード側リブ１３２、第３ガード側リブ１３３、及び第４ガード側リブ１３４の上端部の近傍部分に対して接続されている。
【００５２】
このような構成により、ガード部１３０によって挿通孔１２０が火災検出装置１の外部に露出することを抑制でき、ガード部１３０への気流の流入性を損なわずに、火災検出装置１の意匠性を維持できる。
【００５３】
（構成−外カバーの構成の詳細−ガード部−第１ガード側リブから第４ガード側リブの構成の詳細）
次に、第１ガード側リブ１３１、第２ガード側リブ１３２、第３ガード側リブ１３３、及び第４ガード側リブ１３４の構成の詳細について説明する。
【００５４】
まず、第１ガード側リブ１３１、第２ガード側リブ１３２、第３ガード側リブ１３３、及び第４ガード側リブ１３４の材質については任意であるが、実施の形態では、第１ガード側リブ１３１、第２ガード側リブ１３２、第３ガード側リブ１３３、及び第４ガード側リブ１３４のうち、一部のリブの材質が他の一部のリブの材質と異なるように形成している。具体的には、第１ガード側リブ１３１を透光性材料（一例として、透光性樹脂材、ガラス材料等）にて形成し、第２ガード側リブ１３２、第３ガード側リブ１３３、及び第４ガード側リブ１３４を外カバー２０と同一の材料にて形成している。
【００５５】
このような構成により、第１ガード側リブ１３１のみを透光性材料にて形成することで、第１ガード側リブ１３１及び挿通孔１２０を介して外カバー２０の内部に収容された表示部から照査された表示光を火災検出装置１の外部に導くことが可能になる。よって、表示光を外部に導くための表示孔を外カバー２０に設ける必要性がないことから、従来技術（プロテクタ及び表示孔を外部に露出するように設けた技術）に比べて、火災検出装置１の意匠性を維持することが可能となる。
【００５６】
また、第１ガード側リブ１３１、第２ガード側リブ１３２、第３ガード側リブ１３３、及び第４ガード側リブ１３４の具体的な構成については任意であるが、実施の形態では、表示部から照射された表示光が第１ガード側リブ１３１を介して火災検出装置１の外部に導かれるように構成されている。より詳細には、所定の条件下において、人が火災検出装置１を見上げた際に表示光を視認することができるように構成されている。ここで、「所定の条件」については任意であるが、実施の形態では、図１に示すように、火災検出装置１が設置面２の高さＨ１（一例として、２．４ｍ等）である天井部に設置されていること、人ＨＭが火災検出装置１から所定距離Ｄ内（一例として、３．０ｍ以内等）にいること、及び、人ＨＭの目の高さＨ２が設置面２の高さＨ１よりも低いこと（一例として、１．８ｍ等）が該当する。
【００５７】
具体的には、まず、第１ガード側リブ１３１、第２ガード側リブ１３２、第３ガード側リブ１３３、及び第４ガード側リブ１３４は、挿通孔１２０に隣接して設けられている。より具体的には、図３に示すように、第１ガード側リブ１３１は、挿通孔１２０よりも右方側に配置され、第２ガード側リブ１３２は挿通孔１２０よりも左方側に配置され、第３ガード側リブ１３３は挿通孔１２０よりも前方側且つ右寄りに配置され、第４ガード側リブ１３４は挿通孔１２０よりも後方側且つ右寄りに配置されている。
【００５８】
このような構成により、上記所定の条件において、人が火災検出装置１を見上げた際に表示光を視認することが可能となる。また特に、ガード部１３０の強度を確保しながら、第１ガード側リブ１３１をライトガイドとして機能させることができ、表示光を様々な方向において視認しやすくすることが可能となる。
【００５９】
また、第１ガード側リブ１３１、第２ガード側リブ１３２、第３ガード側リブ１３３、及び第４ガード側リブ１３４の形状（具体的には、リブの形やリブの大きさ）については任意であるが、実施の形態では、第１ガード側リブ１３１、第２ガード側リブ１３２、第３ガード側リブ１３３、及び第４ガード側リブ１３４のうち、一部のリブの形状が他の一部のリブの形状と異なるように設定している。具体的には、第１ガード側リブ１３１、第２ガード側リブ１３２、第３ガード側リブ１３３、及び第４ガード側リブ１３４の上下方向の長さについては、図２、図４に示すように、熱感知部１１０における火災検出装置１の外部に露出する部分の上下方向の長さよりも長く設定している。また、第１ガード側リブ１３１、第２ガード側リブ１３２、第３ガード側リブ１３３、及び第４ガード側リブ１３４の幅については、実施の形態では、各方向からガード部１３０に向けて流入する気流の均一化を図ることができるように、実験結果等に基づいて設定している。一例として、図２、図４に示すように、挿通孔１２０の径よりも短く設定すると共に、第２ガード側リブ１３２の幅を他のリブよりも狭く設定してもよい。また、第１ガード側リブ１３１、第２ガード側リブ１３２、第３ガード側リブ１３３、及び第４ガード側リブ１３４の厚さについては、実施の形態では、ガード部１３０に流入する気流の流入量又は流入方向に基づいて設定している。例えば、各方向からガード部１３０に向けて流入する気流の均一化を図ることができるように、実験結果等に基づいて設定してもよい。一例として、第２ガード側リブ１３２の厚さを他のリブよりも薄く設定してもよい。また、第３ガード側リブ１３３及び第４ガード側リブ１３４の厚さを第２ガード側リブ１３２の厚さよりも厚く設定してもよい。また、第１ガード側リブ１３１の厚さを他のリブよりも厚く設定してもよい。
【００６０】
このような構成により、複数のリブを同一形状にする場合に比べて、火災検出装置１の設置状況に応じて、各方向からガード部１３０に流入する気流の流入量の均一化が図りやすくなる。よって、火災検出装置１の気流の流入性を向上させることが可能となる。また、ガード部１３０に流入する気流の流入量又は流入方向に応じた複数のリブの厚さを設定でき、ガード部１３０の耐久性を維持しながら、ガード部１３０への気流の流入性を確保することができる。また、第１ガード側リブ１３１が複数のリブのうち最も厚みが薄いリブよりも厚みがあるリブであるので（具体的には、最も厚みのあるリブであるので）、第１ガード側リブ１３１の破損等を抑制しながら、表示部から照射された表示光を火災検出装置１の外部へ導きやすくなることから、第１ガード側リブ１３１の耐久性を向上させながら、火災検出装置１の表示機能を一層維持することが可能となる。特に、第１ガード側リブ１３１は天面部２２の中央部から最も離れた位置に配置されていることから、上述したように、第１ガード側リブ１３１の厚みを設定することで、ガード部１３０において各方向から流入する気流の流入量の均一化、火災検出装置１の意匠性、及びガード部１３０の耐久性を向上させることに寄与できる。また、第２ガード側リブ１３２が、複数のリブのうち最も厚みがあるリブよりも厚みが薄いリブであり（具体的には、最も厚みが薄いリブであり）、且つ最も幅が広いリブよりも幅が狭いリブであるので（具体的には、最も幅が狭いリブであるので）、挿通孔１２０を天面部２２の中央部以外の部分に設けた場合に、ガード部１３０において各方向から流入する気流の流入量の均一化が一層図りやすくなるため、ガード部１３０への気流の流入性を向上できる。
【００６１】
なお、上述したようなガード部１３０の形成方法については任意であるが、実施の形態では、第１ガード側リブ１３１と、第２ガード側リブ１３２、第３ガード側リブ１３３、第４ガード側リブ１３４、及びガード側連結部１３５とを別体に形成している。具体的には、透光性樹脂材を射出成形することにより第１ガード側リブ１３１を形成すると共に、遮光性を有する樹脂材を射出成形することにより外カバー２０、第２ガード側リブ１３２、第３ガード側リブ１３３、第４ガード側リブ１３４、及びガード側連結部１３５を一体に形成する。その後、第１ガード側リブ１３１を外カバー２０及びガード側連結部１３５に対して嵌合構造等によって接続することにより、形成している。
【００６２】
（火災検出装置の作用について）
次に、このように構成された火災検出装置１の作用について説明する。
【００６３】
すなわち、例えば、火災検出装置１が設置面２に取り付けられた状態では、ガード部１３０によって挿通孔１２０が覆われるので、挿通孔１２０が火災検出装置１の外部に露出することを抑制できる。
【００６４】
また、例えば、火災検出装置１が設置面２に取り付けられた状態において、表示部から表示光が照射されると、表示部から照射された表示光が第１ガード側リブ１３１を介して火災検出装置１の外部に導かれるので、第１ガード側リブ１３１をライトガイド１０４ａとして機能させることができる。
【００６５】
（実施の形態の効果）
このように実施の形態によれば、第１ガード側リブ１３１から第４ガード側リブ１３４のうち第１ガード側リブ１３１の材質を他の一部のリブの材質と異ならせるので、例えば、第１ガード側リブ１３１のみを透光性材料にて形成することで、当該第１ガード側リブ１３１及び挿通孔１２０を介して外カバー２０の内部に収容された表示部から照査された光を火災検出装置１の外部に導くことが可能になる。よって、表示部から照査される光を外部に導くための表示孔を外カバー２０に設ける必要性がないことから、従来技術（プロテクタ及び表示孔を外部に露出するように設けた技術）に比べて、火災検出装置１の意匠性を維持することが可能となる。また、第１ガード側リブ１３１から第４ガード側リブ１３４のうち第１ガード側リブ１３１の形状を他の一部のリブの形状と異ならせるので、第１ガード側リブ１３１から第４ガード側リブ１３４を同一形状にする場合に比べて、火災検出装置１の設置状況に応じて、各方向からガード部１３０に流入する気流の流入量の均一化が図りやすくなる。よって、火災検出装置１の気流の流入性を向上させることが可能となる。
【００６６】
また、第１ガード側リブ１３１のみを透光性材料にて形成し、表示部から照射された光が第１ガード側リブ１３１を介して火災検出装置１の外部に導かれるように、第１ガード側リブ１３１から第４ガード側リブ１３４を構成したので、ガード部１３０の強度を確保しながら、第１ガード側リブ１３１をライトガイド１０４ａとして機能させることができ、表示部から照射された光を様々な方向において視認しやすくすることが可能となる。
【００６７】
また、ガード部１３０に流入する気流の流入量又は流入方向に基づいて、第１ガード側リブ１３１から第４ガード側リブ１３４の厚さを設定したので、ガード部１３０に流入する気流の流入量又は流入方向に応じた第１ガード側リブ１３１から第４ガード側リブ１３４の厚さを設定でき、ガード部１３０の耐久性を維持しながら、ガード部１３０への気流の流入性を確保することができる。
【００６８】
また、第１ガード側リブ１３１は、第１ガード側リブ１３１から第４ガード側リブ１３４のうち最も厚みが薄いリブよりも厚みがあるリブであるので、第１ガード側リブ１３１の破損等を抑制しながら、表示部から照射された光を火災検出装置１の外部へ導きやすくなることから、第１ガード側リブ１３１の耐久性を向上させながら、火災検出装置１の表示機能を一層維持することが可能となる。
【００６９】
また、挿通孔１２０を、天面部２２の部分のうち中央部以外の部分に設けたので、挿通孔１２０を天面部２２の中央部に形成する場合に比べて、熱感知部１１０及び表示部の取付上の制約を受けにくいことから、熱感知部１１０及び表示部の取付性を維持できる。
【００７０】
また、第２ガード側リブ１３２が、第１ガード側リブ１３１から第４ガード側リブ１３４のうち最も厚みがあるリブよりも厚みが薄いリブであり、且つ最も幅が広いリブよりも幅が狭いリブであるので、挿通孔１２０を天面部２２の中央部以外の部分に設けた場合に、ガード部１３０において各方向から流入する気流の流入量の均一化が一層図りやすくなるため、ガード部１３０への気流の流入性を向上できる。
【００７１】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７２】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００７３】
（火災検出装置について）
上記実施の形態では、火災検出装置１が内カバー３０を備えていると説明したが、これに限らず、例えば、内カバー３０を省略してよい。
【００７４】
（挿通孔について）
上記実施の形態では、挿通孔１２０が、天面部２２の部分のうち中央部以外の部分に形成していると説明したが、これに限らず、例えば、天面部２２の中央部に形成してもよい。
【００７５】
（ガード部について）
上記実施の形態では、ガード部１３０のリブの設置個数が４つであると説明したが、これに限らない。例えば、２つのみ又は３つのみであってもよく、あるいは、５つ以上であってもよい。
【００７６】
また、上記実施の形態では、複数のリブのうち一部のリブの材質を他の一部のリブの材質と異ならせ、且つ複数のリブのうち一部のリブの形状を他の一部のリブの形状と異ならせていると説明したが、これに限らない。例えば、複数のリブのうち一部のリブの材質を他の一部のリブの材質と異ならせて、複数のリブの形状をそれぞれ同一にしてもよい。あるいは、複数のリブの材質をそれぞれ同一にして、複数のリブのうち一部のリブの形状を他の一部のリブの形状と異ならせてもよい。
【００７７】
また、上記実施の形態では、第１ガード側リブ１３１のみを透光性材料にて形成していると説明したが、これに限らない。例えば、第１ガード側リブ１３１以外のリブを透光性材料にて形成してもよい。一例として、第２ガード側リブ１３２、第３ガード側リブ１３３、又は第４ガード側リブ１３４の少なくともいずれか１つを透光性材料にて形成してもよい。あるいは、第１ガード側リブ１３１、第２ガード側リブ１３２、第３ガード側リブ１３３、又は第４ガード側リブ１３４のいずれか２つのみ又はいずれか３つのみを透光性材料にて形成してもよい。
【００７８】
また、上記実施の形態では、第１ガード側リブ１３１、第２ガード側リブ１３２、第３ガード側リブ１３３、及び第４ガード側リブ１３４の厚さを、ガード部１３０に流入する気流の流入量又は流入方向に基づいて設定していると説明したが、これに限らず、例えば、上記気流の流入量及び流入方向以外のパラメータ（例えば、リブの設置間隔の長さ）に基づいて設定してもよい。
【００７９】
上記実施の形態では、第１ガード側リブ１３１が、最も厚みのあるリブであると説明したが、これに限らず、例えば、最も厚みのあるリブよりも厚みが薄いリブであってもよい。
【００８０】
また、上記実施の形態では、第２ガード側リブ１３２が、最も厚みが薄いリブであり、且つ最も幅が狭いリブであると説明したが、これに限らない。例えば、最も厚みが薄いリブであり、又は最も幅が狭いリブのいずれか一方であってもよい。あるいは、最も厚みが薄いリブよりも厚みのあるリブであり、且つ最も幅が狭いリブよりも幅のあるリブであってもよい。
【００８１】
（付記）
付記１の火災検出装置は、設置対象物の設置面に取り付けられる火災検出装置であり、監視領域の火災を検出するための火災検出装置であって、筐体と、前記火災を検出するための熱感知手段であって、前記筐体の内部に当該熱感知手段の一部が収容され、且つ前記筐体の側部のうち前記設置面側の側部とは反対側の側部である反対側側部に形成された挿通孔を介して当該熱感知手段の他の一部が当該火災検出装置の外部に露出するように設けられた熱感知手段と、前記反対側側部において前記熱感知手段の他の一部及び前記挿通孔の周囲を覆うように設けられたガード手段であって、複数のリブを有するガード手段と、を備え、前記複数のリブのうち一部のリブの材質を他の一部のリブの材質と異ならせ、又は前記複数のリブのうち一部のリブの形状を他の一部のリブの形状と異ならせた。
【００８２】
また、付記２の火災検出装置は、付記１に記載の火災検出装置において、前記筐体の内部に設けられた表示手段であって、前記挿通孔を介して当該火災検出装置の外部に向けて光を照射することにより所定情報を表示する表示手段を備え、前記一部のリブのみを透光性材料にて形成し、前記表示手段から照射された光が前記透光性材料にて形成されたリブを介して当該火災検出装置の外部に導かれるように、前記複数のリブを構成した。
【００８３】
また、付記３の火災検出装置は、付記１又は２に記載の火災検出装置において、前記ガード手段に流入する気流の流入量又は流入方向に基づいて、前記複数のリブの厚さを設定した。
【００８４】
また、付記４の火災検出装置は、付記１から３のいずれか一項に記載の火災検出装置において、前記透光性材料にて形成されたリブは、前記複数のリブのうち最も厚みが薄いリブよりも厚みがあるリブである。
【００８５】
また、付記５の火災検出装置は、付記１から４のいずれか一項に記載の火災検出装置において、前記挿通孔を、前記反対側側部の部分のうち中央部以外の部分に設けた。
【００８６】
また、付記６の火災検出装置は、付記５に記載の火災検出装置において、前記複数のリブのうち前記反対側側部の中央部側のリブは、前記複数のリブのうち最も厚みがあるリブよりも厚みが薄いリブであり、又は最も幅が広いリブよりも幅が狭いリブである。
【００８７】
（付記の効果）
付記１に記載の火災検出装置によれば、複数のリブのうち一部のリブの材質を他の一部のリブの材質と異ならせるので、例えば、一部のリブのみを透光性材料にて形成することで、当該一部のリブ及び挿通孔を介して筐体の内部に収容された表示手段から照査された光を当該火災検出装置の外部に導くことが可能になる。よって、上記表示手段から照査される光を外部に導くための表示孔を筐体に設ける必要性がないことから、従来技術（プロテクタ及び表示孔を外部に露出するように設けた技術）に比べて、火災検出装置の意匠性を維持することが可能となる。また、複数のリブのうち一部のリブの形状を他の一部のリブの形状と異ならせるので、複数のリブを同一形状にする場合に比べて、火災検出装置の設置状況に応じて、各方向からガード手段に流入する気流の流入量の均一化が図りやすくなる。よって、火災検出装置の気流の流入性を向上させることが可能となる。
【００８８】
付記２に記載の火災検出装置によれば、一部のリブのみを透光性材料にて形成し、表示手段から照射された光が透光性材料にて形成されたリブを介して当該火災検出装置の外部に導かれるように、複数のリブを構成したので、ガード手段の強度を確保しながら、ガード手段の一部のリブをライトガイドとして機能させることができ、表示手段から照射された光を様々な方向において視認しやすくすることが可能となる。
【００８９】
付記３に記載の火災検出装置によれば、ガード手段に流入する気流の流入量又は流入方向に基づいて、複数のリブの厚さを設定したので、ガード手段に流入する気流の流入量又は流入方向に応じた複数のリブの厚さを設定でき、ガード手段の耐久性を維持しながら、ガード手段への気流の流入性を確保することができる。
【００９０】
付記４に記載の火災検出装置によれば、透光性材料にて形成されたリブが、複数のリブのうち最も厚みが薄いリブよりも厚みがあるリブであるので、透光性材料にて形成されたリブのリブの破損等を抑制しながら、表示手段から照射された光を火災検出装置の外部へ導きやすくなることから、透光性材料にて形成されたリブの耐久性を向上させながら、火災検出装置の表示機能を一層維持することが可能となる。
【００９１】
付記５に記載の火災検出装置によれば、挿通孔を、反対側側部の部分のうち中央部以外の部分に設けたので、挿通孔を反対側側部の中央部に形成する場合に比べて、熱感知手段及び表示手段の取付上の制約を受けにくいことから、熱感知手段及び表示手段の取付性を維持できる。
【００９２】
付記６に記載の火災検出装置によれば、複数のリブのうち反対側側部の中央部側のリブが、複数のリブのうち最も厚みがあるリブよりも厚みが薄いリブであり、又は最も幅が広いリブよりも幅が狭いリブであるので、挿通孔を反対側側部の部分のうち中央部以外の部分に設けた場合に、ガード手段において各方向から流入する気流の流入量の均一化が一層図りやすくなるため、ガード手段への気流の流入性を向上できる。
【符号の説明】
【００９３】
１  火災検出装置
２  設置面
１０  取付ベース
２０  外カバー
２１  外カバー本体
２２  天面部
２３  第１リブ部
２４  第２リブ部
３０  内カバー
３０ａ  第１開口部
４０  流入空間
５０  防虫網
６０  検出空間
７０  検出部カバー
７０ａ  第２開口部
８０  検出部本体
８１  ベース部
９０  端子盤
９１  取付部材
１００  基板
１０４ａ  ライトガイド
１１０  熱感知部
１２０  挿通孔
１３０  ガード部
１３１  第１ガード側リブ
１３２  第２ガード側リブ
１３３  第３ガード側リブ
１３４  第４ガード側リブ
１３５  ガード側連結部
Ｄ  所定距離
Ｈ１  天井部の高さ
Ｈ２  人の目の高さ
ＨＭ  人
【図１】
2019175143.tif 000003
【図２】
2019175143.tif 000004
【図３】
2019175143.tif 000005
【図４】
2019175143.tif 000006